(57)【要約】【課題】受信した文書を印刷するユーザの利便性を向上させた画像形成装置及びその制御方法、並びにプログラムを提供する。【解決手段】画像処理装置１００は、受信した文書に含まれる付加情報を抽出し、記録材に文書を印刷した場合に文書が分割されて複数の記録材に印刷されるときには、分割された文書が印刷される各々の記録材に、抽出された付加情報が印刷されるように制御する。【選択図】図４
2014103645.tif 000002
【特許請求の範囲】
【請求項１】
文書を受信する受信手段と、
前記受信手段が受信した文書に含まれる付加情報を抽出する抽出手段と、
記録材に前記文書を印刷した場合に前記文書が分割されて複数の記録材に印刷されるときには、分割された文書が印刷される各々の記録材に前記抽出手段により抽出された付加情報が印刷されるように制御する制御手段と
を備えたことを特徴とする画像形成装置。
【請求項２】
前記受信手段は、ファックス通信により前記文書を受信することを特徴とする請求項１に記載の画像形成装置。
【請求項３】
前記抽出手段が抽出する付加情報は、前記文書のヘッダとして送信元で付加された情報であることを特徴とする請求項１または２に記載の画像形成装置。
【請求項４】
前記分割された文書のうち、前記付加情報とともに記録材に印刷するページをユーザが指定するためのページ指定手段をさらに備え、
前記制御手段は、前記ページ指定手段でユーザにより指定されたページが印刷される記録材に前記付加情報が印刷されるように制御することを特徴とする請求項１乃至３のいずれか１項に記載の画像形成装置。
【請求項５】
前記付加情報が記録されている領域をユーザが指定するための領域指定手段をさらに備え、
前記抽出手段は、前記領域指定手段でユーザにより指定された領域に基づいて前記付加情報を抽出することを特徴とする請求項１乃至４のいずれか１項に記載の画像形成装置。
【請求項６】
文書を受信する受信ステップと、
前記受信ステップで受信された文書に含まれる付加情報を抽出する抽出ステップと、
記録材に前記文書を印刷した場合に前記文書が分割されて複数の記録材に印刷されるときには、分割された文書が印刷される各々の記録材に前記抽出ステップにより抽出された付加情報が印刷されるように制御する制御ステップと
を備えたことを特徴とする画像形成装置の制御方法。
【請求項７】
前記受信ステップでは、ファックス通信により前記文書を受信することを特徴とする請求項６に記載の画像形成装置の制御方法。
【請求項８】
前記抽出ステップで抽出する付加情報は、前記文書のヘッダとして送信元で付加された情報であることを特徴とする請求項６または７に記載の画像形成装置の制御方法。
【請求項９】
前記分割された文書のうち、前記付加情報とともに記録材に印刷するページをユーザが指定するためのページ指定ステップをさらに備え、
前記制御ステップでは、前記ページ指定ステップでユーザにより指定されたページが印刷される記録材に前記付加情報が印刷されるように制御することを特徴とする請求項６乃至８のいずれか１項に記載の画像形成装置の制御方法。
【請求項１０】
前記付加情報が記録されている領域をユーザが指定するための領域指定ステップをさらに備え、
前記抽出ステップでは、前記領域指定ステップでユーザにより指定された領域に基づいて前記付加情報を抽出することを特徴とする請求項６乃至９のいずれか１項に記載の画像形成装置の制御方法。
【請求項１１】
画像形成装置の制御方法をコンピュータに実行させるためのプログラムであって、
前記制御方法は、
文書を受信する受信ステップと、
前記受信ステップで受信された文書に含まれる付加情報を抽出する抽出ステップと、
記録材に前記文書を印刷した場合に前記文書が分割されて複数の記録材に印刷されるときには、分割された文書が印刷される各々の記録材に前記抽出ステップにより抽出された付加情報が印刷されるように制御する制御ステップと
を備えたことを特徴とするプログラム。 
【発明の詳細な説明】
【技術分野】
【０００１】
本発明は、画像形成装置及びその制御方法、並びにプログラムに関する。
【背景技術】
【０００２】
コピー、プリンタ、スキャナ、ファクスなどの画像通信などの機能を有する画像形成装置は多く使われている。画像形成装置間で行われるファクシミリ、及びインターネットファクシミリ通信は、ロール紙への記録を前提とした通信規格である。
【０００３】
従って、ファックス通信では、主走査方向が数パターン（例えば８ｘ７．７ｐｅｌの場合は１７２８画素）の定型画素、副走査方向へは不定ライン数の画像フォーマットで送受信される。
【０００４】
一方、普通紙に印刷を行う画像形成装置では、受信画像の副走査方向のライン数を基に、複数枚に分割、または縮小等の処理を行い、受信画像を記録材のサイズに応じて記録材に画欠けなく記録できるような制御が一般的に行われている。
【０００５】
従来より、Ｇ３ＦＡＸで送信側装置が画像上部に発信元番号などヘッダ情報を付加し、それを送信するようになっている（例えば、特許文献１参照）。
【先行技術文献】
【特許文献】
【０００６】
【特許文献１】特開平１０−２２４５３８号公報
【発明の概要】
【発明が解決しようとする課題】
【０００７】
しかしながら、この場合、受信側で画像を分割すると、分割後の２枚目以降の用紙にはヘッダ情報が付加されていないことになる。このため、１枚目と２枚目を分離して管理したり、１枚目を紛失したりすると、２枚目だけを持っているユーザはヘッダ情報を確認できなくなってしまう。
【０００８】
本発明の目的は、受信した文書を印刷するユーザの利便性を向上させた画像形成装置及びその制御方法、並びにプログラムを提供することにある。
【課題を解決するための手段】
【０００９】
上記目的を達成するために、請求項１の画像形成装置は、文書を受信する受信手段と、前記受信手段が受信した文書に含まれる付加情報を抽出する抽出手段と、記録材に前記文書を印刷した場合に前記文書が分割されて複数の記録材に印刷されるときには、分割された文書が印刷される各々の記録材に前記抽出手段により抽出された付加情報が印刷されるように制御する制御手段とを備えたことを特徴とする。
【発明の効果】
【００１０】
本発明によれば、受信した文書を印刷するユーザの利便性を向上させた画像形成装置及びその制御方法、並びにプログラムを提供することができる。
【図面の簡単な説明】
【００１１】
【図１】本発明の実施の形態に係る画像形成装置の概略構成を示す図である。
【図２】従来技術において文書が分割されて印刷される場合の印刷文書を説明するための図である。
【図３】本実施の形態において文書が分割されて印刷される場合の印刷文書を説明するための図である。
【図４】図１におけるＣＰＵにより実行される受信文書印刷処理の手順を示すフローチャートである。
【図５】図１における表示／操作部に表示されるプレビュー画像を示す図である。
【図６】図１におけるＣＰＵにより実行される付加情報識別処理の手順を示すフローチャートである。
【図７】画像として記憶された付加情報を付与した文書の一例を示す図である。
【図８】テキストとして記憶された付加情報を付与した文書の一例を示す図である。
【図９】図１におけるＣＰＵにより実行される受信文書印刷処理の変形例の手順を示すフローチャートである。
【図１０】図９におけるステップＳ９０５でユーザに表示される入力画面を示す図である。
【発明を実施するための形態】
【００１２】
以下、本発明の実施の形態について図面を参照しながら詳述する。
【００１３】
図１は、本発明の実施の形態に係る画像形成装置１００の概略構成を示す図である。
【００１４】
図１において、ＣＰＵ１０１は、ＲＯＭ１０５に記憶された制御プログラムに基づいて画像形成装置１００を制御する。
【００１５】
表示部に対応する表示／操作部１０２は、その表示画面に、例えばウインドウ、アイコン、メッセージ、メニューその他のユーザインターフェース情報が表示される。また、表示／操作部１０２は、ユーザがコピー、ＦＡＸ、プリンタ操作を行うための各種キー、及び表示画面上のアイコン、メニューなどを操作するための画面ポインティングデバイスから構成される。
【００１６】
スキャナ部１０３は、原稿の読み取りを行う。エンジンコントローラ部１０４は、ＲＯＭ１０５やＨＤＤ（ハードディスクドライブ）１０７に記憶した印刷データを紙などの記録材に転写／定着させるための制御を行う。
【００１７】
エンジンコントローラ部１０４は、ＣＰＵ１０１、ＲＯＭ１０５、ＲＡＭ１０６とは別に、内部にＣＰＵ、ＲＡＭ，ＲＯＭを持つ。エンジンコントローラ部１０４は、内部のＲＯＭから読み出したエンジン制御プログラムに基づき処理を行う。
【００１８】
例えば、エンジンコントローラ部１０４は、ジョブ制御部１１２より発行された制御指示を、通信部１２０を経由して受信し、受信した制御指示に応じて印字部１１９、給紙部１１５、１１６、１１７と手差し給紙部１１８などを制御する。なお、給紙部１１５、１１６、１１７と手差し給紙部１１８をまとめて単に給紙部と表現することがある。
【００１９】
ＲＯＭ１０５は、各種制御プログラムやデータが記憶されており、後述するフローチャートの処理は、ＲＯＭ１０５に記憶されたプログラムをＣＰＵ１０１が読み出すことでＣＰＵ１０１により実行される。
【００２０】
ＲＡＭ１０６は、ＣＰＵ１０１のワーク領域、エラー処理時のデータの退避領域、制御プログラムのロード領域などを有する。記憶部に対応するＨＤＤ１０７は、各種制御プログラムやファックス通信で受信した文書などが記憶される。以下の説明ではファックス通信を単にＦＡＸと表現することがある。
【００２１】
画像形成部に対応する印字部１１９は記録材に画像を印刷する。ネットワークＩ／Ｆ部１０８は、ネットワークを介して他の端末と通信を行うためのインタフェースであり、ネットワークを介して例えばＰＣからのプリントジョブを受信する。
【００２２】
ファクス通信制御部１０９は、ファクス通信を電話回線１１０を介して行なう。画像処理部１１１は、ＣＰＵ１０１で実行されるソフトウェア、及び回転や変倍の特定の処理に特化されたハードウェアを用いて、画像の符号化、復号化、および変倍、回転、分割などの処理を行う。
【００２３】
ジョブ制御部１１２は、ＦＡＸで文書を受信するジョブを生成するとともに、ネットワークを介して受信した文書に対する処理である印刷、転送、及びプレビュー画像の表示などの複数の処理系毎にジョブを生成することで、各処理が実行される。
【００２４】
電話回線１１０を経由して受信された文書は、ＨＤＤ１０７に記憶される。すなわち、ＨＤＤ１０７には、ファックス通信により受信された文書が記憶される。このとき、文書に対して、文書ＩＤ、文書に含まれるページ数、符号化方式、及び受信時刻からなるメタデータである文書情報が付与される。
【００２５】
エンジンコントローラ部１０４には、給紙部や印字部などの制御を行うための制御バス１１４が接続される。制御バス１１４には、給紙部１１５、１１６、１１７と手差し給紙部１１８が接続されている。
【００２６】
通信部１２０は、ＲＳ２３２ＣなどのＵＡＲＴ通信を用いて、エンジンコントローラ部１０４とジョブ制御部１１２との間の通信を実現する。
【００２７】
付加情報判断部１１３は、送信元で付加されたファックスのヘッダとしての付加情報が存在するか否か判断する。
【００２８】
図２は、従来技術において文書が分割されて印刷される場合の印刷文書を説明するための図である。
【００２９】
図２において、受信文書２０１はＦＡＸで受信した文書を示し、印刷文書２０２，２０３は、印刷される文書を示している。図２に示されるように、印刷文書２０２には、付加情報が印刷されるが、印刷文書には、付加情報が印刷されない。
【００３０】
図３は、本実施の形態において文書が分割されて印刷される場合の印刷文書を説明するための図である。
【００３１】
図３において、受信文書３０１はＦＡＸで受信した文書を示し、印刷文書３０２，３０３は、印刷される文書を示している。図３に示されるように、印刷文書３０２，３０３のいずれにも付加情報が印刷される。
【００３２】
図４は、図１におけるＣＰＵ１０１により実行される受信文書印刷処理の手順を示すフローチャートである。
【００３３】
図４において、受信した文書である受信文書を印刷する場合に、まず受信文書を分割して印刷するか否か判別する（ステップＳ４０１）。ステップＳ４０１の判別の結果、受信文書を分割して印刷しないときは（ステップＳ４０１でＮＯ）、印字部１１９により１枚の記録紙に印刷する通常印刷を行い（ステップＳ４０２）、本処理を終了する。
【００３４】
一方、ステップＳ４０１の判別の結果、受信文書を分割して印刷するときは（ステップＳ４０１でＹＥＳ）、受信文書に付加情報が存在するか否か判別する（ステップＳ４０３）。これは、付加情報判断部１１３により行われる。
【００３５】
ステップＳ４０３の判別の結果、受信文書に付加情報が存在しないときは（ステップＳ４０３でＮＯ）、印字部１１９により付加情報を印刷せずに文書を印刷する通常の分割印刷を行い（ステップＳ４０７）、本処理を終了する。
【００３６】
一方、ステップＳ４０３の判別の結果、受信文書に付加情報が存在するときは（ステップＳ４０３でＹＥＳ）、付加情報を文書から抽出し、ＨＤＤ１０７に記憶する（ステップＳ４０４）。次いで、付与する付加情報のライン数を考慮して、文書の分割位置を計算する（ステップＳ４０５）。このステップＳ４０５は、記憶部に記憶された文書にファックスのヘッダとしての付加情報が含まれる場合に、付加情報を抽出する抽出手段に対応する。
【００３７】
そして、文書を上記分割位置で分割し、分割した各文書に付加情報を付与したデータを作成し（ステップＳ４０６）、上記ステップＳ４０７に進む。このステップＳ４０７では、分割した各文書に付加情報を付与したデータを用いて分割文書を印刷する。上記ステップＳ４０７は、記録材に文書を印刷した場合に文書が分割されて複数の記録材に印刷されるときには、分割された文書が印刷される各々の記録材に、抽出された付加情報が印刷されるように画像形成部を制御する制御手段に対応する。
【００３８】
上記ステップＳ４０５の計算について説明する。ライン数を考慮した分割位置の計算式は、記録材に記録できるライン数をＮ１、付加情報のライン数をＮ２としたとき、第ｎ番目の分割位置Ｌｎは以下のようになる。
Ｌｎ＝Ｌ１＋Ｌ２＋…＋Ｌｎ−１＋（Ｎ１−Ｎ２）
例えば、第１の分割位置Ｌ１はＬ１＝Ｎ１−Ｎ２となり、第２の分割位置Ｌ２はＬ２＝Ｌ１＋（Ｎ１−Ｎ２）となる。これを、文書のライン数をＮ３としたとき、Ｌｎ＞Ｎ３となるまで繰り返すことで分割位置が計算できる。
【００３９】
上述した付加情報は、付加情報判断部１１３が予めＨＤＤ１０７またはＲＯＭ１０５に設定された副走査の長さの分の領域に対応する受信文書の付加情報領域から抽出している。この付加情報領域をユーザが領域指定できるようにしてもよい。
【００４０】
このように、図４の処理によれば、分割印刷時に記録材に付加情報を印刷することが可能となり、付加情報が記録材１枚目以外でもユーザは不可情報を確認することが可能となる。
【００４１】
以上説明した図４の処理では、ＨＤＤ１０７に記憶された文書にファックスのヘッダとしての付加情報が含まれる場合に、付加情報を抽出する。そして、記録材に文書を印刷した場合に文書が分割されて複数の記録材に印刷されるときには、分割された文書が印刷される各々の記録材に抽出された付加情報が印刷されるように制御するので、ファックス通信により受信した文書を印刷するユーザの利便性を向上させることができる。
【００４２】
図５は、図１における表示／操作部１０２に表示されるプレビュー画像を示す図である。
【００４３】
図５には、プレビュー画像５０１、付加情報領域境界線５０２、及び付加情報位置入力欄５０３が示されている。
【００４４】
ユーザは、付加情報領域境界線５０２を表示／操作部１０２に設けられたキーを用いて移動させるか、付加情報位置入力欄５０３に表示／操作部１０２に設けられたテンキーを用いて入力するようにしてもよい。付加情報位置入力欄５０３に入力される数値は、記録材の上辺から付加情報領域境界線５０２までの長さである。この記録材の上辺から付加情報領域境界線５０２までを抽出対象領域とする。
【００４５】
図６は、図１におけるＣＰＵ１０１により実行される付加情報識別処理の手順を示すフローチャートである。
【００４６】
図６において、抽出対象領域から画像を抽出し（ステップＳ６０１）、抽出された画像を解析する（ステップＳ６０２）。ここでは、抽出された画像を文字認識を用いて解析することとなる。
【００４７】
画像を解析した結果、抽出した画像に文字が含まれるか否か判別する（ステップＳ６０２）。ステップＳ６０２の判別の結果、画像に文字が含まれないときは（ステップＳ６０２でＮＯ）、本処理を終了する。
【００４８】
一方、ステップＳ６０２の判別の結果、画像に文字が含まれるときは（ステップＳ６０２でＹＥＳ）、含まれる文字が例えば送信者や送信時間を示す付加情報の文字か否か判別する（ステップＳ６０４）。
【００４９】
ステップＳ６０４の判別の結果、含まれる文字が付加情報の文字ではないときは（ステップＳ６０４でＮＯ）、本処理を終了する。一方、ステップＳ６０４の判別の結果、含まれる文字が付加情報の文字のときは（ステップＳ６０４でＹＥＳ）、付加情報をＨＤＤ１０７に記憶し（ステップＳ６０５）、本処理を終了する。これにより、付加情報を抽出できる。なお、ステップＳ６０５では、付加情報を画像として記憶する場合と、付加情報に含まれる文字をテキストとして記憶する場合とがある。
【００５０】
図７は、画像として記憶された付加情報を付与した文書の一例を示す図である。
【００５１】
図７において、受信文書７０１はＦＡＸで受信した文書を示し、印刷文書７０２，７０３は、印刷される文書を示している。図７に示されるように、印刷文書７０２，７０３のいずれにも、画像として付加情報が印刷される。この印刷情報を示す画像は、記録材に応じて拡大や縮小して文書に付与するようにしてもよい。
【００５２】
図８は、テキストとして記憶された付加情報を付与した文書の一例を示す図である。
【００５３】
図８において、受信文書８０１はＦＡＸで受信した文書を示し、印刷文書８０２，８０３は、印刷される文書を示している。図８に示されるように、印刷文書８０２，８０３のいずれにも、テキストとして付加情報が印刷される。
【００５４】
以上説明した実施の形態では、分割印刷する場合に付加情報を付与するときは、全てのページに付加情報が付与されているが、ユーザが付与するページを選択できるようにしてもよい。
【００５５】
図９は、図１におけるＣＰＵ１０１により実行される受信文書印刷処理の変形例の手順を示すフローチャートである。
【００５６】
図９において、受信した文書である受信文書を印刷する場合に、まず受信文書を分割して印刷するか否か判別する（ステップＳ９０１）。ステップＳ９０１の判別の結果、受信文書を分割して印刷しないときは（ステップＳ９０１でＮＯ）、印字部１１９により１枚の記録紙に印刷する通常印刷を行い（ステップＳ９０２）、本処理を終了する。
【００５７】
一方、ステップＳ９０１の判別の結果、受信文書を分割して印刷するときは（ステップＳ９０１でＹＥＳ）、受信文書に付加情報が存在するか否か判別する（ステップＳ９０３）。これは、付加情報判断部１１３により行われる。
【００５８】
ステップＳ９０３の判別の結果、受信文書に付加情報が存在しないときは（ステップＳ９０３でＮＯ）、印字部１１９により付加情報を印刷せずに文書を印刷する通常の分割印刷を行い（ステップＳ９１３）、本処理を終了する。
【００５９】
一方、ステップＳ９０３の判別の結果、受信文書に付加情報が存在するときは（ステップＳ９０３でＹＥＳ）、付加情報を文書から抽出し、ＨＤＤ１０７に記憶する（ステップＳ９０４）。
【００６０】
次いで、ユーザにより付加情報を付与するページが指定される（ステップＳ９０５）。ここでは、付加情報を付与するページが指定可能なことはもちろん、いずれのページにも付与しないことも指定できる。
【００６１】
そして、ユーザにより付加情報を付与するページが指定されたか否か判別する（ステップＳ９０６）。ステップＳ９０６の判別の結果、付加情報を付与するページが指定されないとき、すなわちいずれのページにも付与しないことが指定されたときは（ステップＳ９０６でＮＯ）、上記ステップＳ９１３に進む。この場合、ステップＳ９１３では、通常の分割印刷が行われる。
【００６２】
一方、ステップＳ９０６の判別の結果、付加情報を付与するページが指定されたときは（ステップＳ９０６でＹＥＳ）、付与する付加情報のライン数を考慮して、文書の分割位置を計算する（ステップＳ９０７）。
【００６３】
次いで、ページをカウントするためのループカウンタＡに１を代入する（ステップＳ９０８）。そして、Ａ≦分割枚数か否か判別する（ステップＳ９０９）。ステップＳ９０９の判別の結果、Ａ≦分割枚数のときは（ステップＳ９０９でＹＥＳ）、Ａページが付加情報を付与するページか否か判別する（ステップＳ９１０）。ここでは、ユーザにより付加情報を付与するページとして指定されたページか否かが判別される。
【００６４】
ステップＳ９１０の判別の結果、Ａページが付加情報を付与するページのときは（ステップＳ９１０でＹＥＳ）、Ａページ目の文書に付加情報を付与したデータを作成する（ステップＳ９１１）。そして、Ａを１だけ増分して（ステップＳ９１２）、ステップＳ９０９に戻る。
【００６５】
一方、ステップＳ９０９の判別の結果、Ａ≦分割枚数ではないときは（ステップＳ９０９でＮＯ）、全ページに対する処理が終了したので、上記ステップＳ９１３に進む。この場合、ステップＳ９１３では、ステップＳ９１１で作成したデータで分割印刷が行われるので、ユーザにより入力されたページに付加情報が付与された文書が印刷される。
【００６６】
上記ステップＳ９０７の計算について説明する。記録材に記録できるライン数をＮ１、付加情報のライン数をＮ２、Ｎ−１ページまでの分割位置をＳｎ−１とし、ｎページ目に付加情報を付与するとき、第ｎ番目の分割位置Ｌｎは以下のようになる。
Ｌｎ＝Ｓｎ−１＋（Ｎ１−Ｎ２）
また、ｎページ目に付加情報を付与しないとき、第ｎ番目の分割位置Ｌｎは以下のようになる。
Ｌｎ＝Ｓｎ−１＋Ｎ１となる。
【００６７】
これを文書のライン数をＮ３としたとき、Ｌｎ＞Ｎ３となるまで繰り返すことで分割位置が計算できる。
【００６８】
以上説明したように本実施の形態によれば、分割印刷が発生する場合に、ユーザが必要とする分割した任意の文書に付加情報を付与することができる。
【００６９】
このように、図９の処理では、分割された文書のうち、付加情報とともに記録材に印刷する文書をユーザが指定するためのステップＳ９０５を備え、ユーザにより指定された文書が印刷される記録材に付加情報が印刷されるように印字部１１９を制御する。
【００７０】
図１０は、図９におけるステップＳ９０５でユーザに表示される指定画面を示す図である。
【００７１】
図１０には、プレビュー画像１００１、分割位置１００２、及びページ指定欄１００３が示されている。
【００７２】
ユーザは、ページ指定欄１００３に表示／操作部１０２に設けられたテンキーを用いてページを指定する。ここで、例えば１ページから５ページに付加情報を付与する場合には、ユーザは入力欄１００４に１を、入力欄１００５に５を入力することとなる。また、例えば１ページ、３ページ、７ページのように不連続に付加情報を付与する場合には、入力欄１００４，１００５のいずれか一方のの入力欄に１，３，７と入力させるようにしてもよい。さらに、いずれのページにも付加情報を付与しない場合は、入力欄１００４に０を、入力欄１００５に０を入力させるようにしてもよい。
【００７３】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００７４】
１００  画像形成装置
１０１  ＣＰＵ
１０２  表示／操作部
１０５  ＲＯＭ
１０６  ＲＡＭ
１０７  ＨＤＤ
１１９  印字部
【図１】
2014103645.tif 000003
【図２】
2014103645.tif 000004
【図３】
2014103645.tif 000005
【図４】
2014103645.tif 000006
【図５】
2014103645.tif 000007
【図６】
2014103645.tif 000008
【図７】
2014103645.tif 000009
【図８】
2014103645.tif 000010
【図９】
2014103645.tif 000011
【図１０】
2014103645.tif 000012